(57)【要約】【課題】帝王切開等により腹部を痛めた者であっても、傷口に与える刺激を小さくし、かつ、締め付け力も追い求めることができるウエストニッパーを提供すること。【解決手段】帯状のベルト本体１２を腹部周りに巻くようにした産後用ウエストニッパーであって、巻く方向Ｘの両端部１４，１５はその内面にベルト本体１２の外面に対して着脱可能な面ファスナー３０，３１を有し、両端部１４，１５のいずれか一方の端部１５側に寄った一箇所であって、巻く方向Ｘと直交する幅方向の中央部に、両端部１４，１５のいずれか他方の端部１４が挿入可能な切れ目状の開口孔４０を有し、ベルト本体１２の内面には、腹部の前側の領域に対応して、柔軟性を有すると共に段部のない円滑領域１３が形成されていることを特徴とする。【選択図】図１
2014118661.tif 000002
【特許請求の範囲】
【請求項１】
帯状のベルト本体を腹部周りに巻くようにした産後用ウエストニッパーであって、
前記巻く方向の両端部はその内面に前記ベルト本体の外面に対して着脱可能な面ファスナーを有し、
前記両端部のいずれか一方の端部側に寄った一箇所であって、前記巻く方向と直交する幅方向の中央部に、前記両端部のいずれか他方の端部が挿入可能な切れ目状の開口孔を有し、
前記ベルト本体の内面には、腹部の前側の領域に対応して、柔軟性を有すると共に段部のない円滑領域が形成されている
ことを特徴とする産後用ウエストニッパー。
【請求項２】
前記他方の端部を内側から前記開口孔に挿入して前記ベルト本体の外面に重着し、前記開口孔を脇腹に配置した場合、前記円滑領域は背中側に配置されていることを特徴とする請求項１に記載の産後用ウエストニッパー。
【請求項３】
前記開口孔を脇腹に配置した場合において、前記一方の端部を腹部の前側の領域にある前記ベルト本体の外面に重着した際、
前記一方の端部は、その先端に前記面ファスナーが設けられ、前記面ファスナーに隣接する領域が腹部の前側の中央部に配置可能であり、
前記隣接する領域は、前記ベルト本体の外面に重ねられ、かつ、幅方向に略伸縮性を有さないと共に、前記巻く方向に弾性力を有し、
前記開口孔から前記他方の端部までの間は全体的に、幅方向に伸縮性が有り、かつ、前記巻く方向に略伸縮性を有していない
ことを特徴とする請求項２に記載の産後用ウエストニッパー。
【発明の詳細な説明】
【技術分野】
【０００１】
本発明は、産後、特に帝王切開等で腹部を痛めた者に使用されるウエストニッパーに関する。
【背景技術】
【０００２】
妊娠から出産までの間に、女性の腹部には、胎児の成長に伴って、胎児を保護するため、妊娠脂肪といわれるものがつきやすい。また、出産の直後は、子供の頭の大きさに匹敵する大きさとなる子宮が、短期間の間に鶏卵程度の大きさに収縮する。このため、産後（産褥期）の間に腹部を自由にすると、妊娠脂肪の為に、いわゆる妊娠肥満を引き起こす。この妊娠脂肪は、産後６ヶ月以内であれば流動性があり、このため出産直後から腹部を引き締め、妊娠脂肪を散して、子宮の収縮を助け、産後の体形の変化に対応し、体形を整えるものとして、ウエストニッパー等のリフォーム用ファンデーション、矯正具が用いられている（例えば、特許文献１乃至３）。
【０００３】
また、このようなリフォーム用ファンデーションなどは、締め付け力を追い求めるがために構造的に大げさなものが多く、デザイン的に見栄えが良くない。そこで、締付力を弱めても、デザイン的な見栄えの良さを求めたリフォーム用ファンデーションもある。例えば、特許文献４のリフォーム用ファンデーションは、全体が単なる筒状であるため、その上に洋服を着るなどしても、それほど見栄えが悪くならない。また、強めに締め付けたい場合は、上端部を折り返して重ねるように使用することで、所定の締め付け力を発揮するようにしている。
【先行技術文献】
【特許文献】
【０００４】
【特許文献１】実用新案登録第２６０５８５４号公報
【特許文献２】特開２００５−４２２２６号公報
【特許文献３】特開２００６−９７１５０号公報
【特許文献４】特開２００９−１９１４１４号公報
【発明の概要】
【発明が解決しようとする課題】
【０００５】
ところで、産後の使用者は健常者ばかりではなく、例えば帝王切開により出産し、産後に腹部を痛めている者も決して少なくはない。そして、この腹部を痛めている者にとってみれば、特許文献１〜３に示すような構造的に大げさなウエストニッパーは傷口に刺激を与えるため好ましくない。
この点、特許文献４は、全体が単なる筒状であって、大げさな構造ではないため、帝王切開後の使用者等にとっても、傷口への刺激が少なく好ましい。しかし、デザイン性を求めて構造を単純にしたばかりに、締め付け力が弱いのは否めない。
【０００６】
そこで、本願発明は、帝王切開等により腹部を痛めた者であっても、傷口に与える刺激を小さくし、かつ、デザイン的な見栄えの悪化を防ぎ、さらに、締め付け力も追い求めることができる産後用ウエストニッパーを提供することを目的とする。
【課題を解決するための手段】
【０００７】
上記課題は、請求項１の発明によれば、帯状のベルト本体を腹部周りに巻くようにした産後用ウエストニッパーであって、前記巻く方向の両端部はその内面に前記ベルト本体の外面に対して着脱可能な面ファスナーを有し、前記両端部のいずれか一方の端部側に寄った一箇所であって、前記巻く方向と直交する幅方向の中央部に、前記両端部のいずれか他方の端部が挿入可能な切れ目状の開口孔を有し、前記ベルト本体の内面には、腹部の前側の領域に対応して、柔軟性を有すると共に段部のない円滑領域が形成されている産後用ウエストニッパーにより解決される。
【０００８】
請求項１の発明の構成によれば、産後用ウエストニッパーは、巻く方向の両端部はその内側にベルト本体の外面に対して着脱可能な面ファスナーを有しており、また、両端部のいずれか一方の端部側に寄った位置であって、巻く方向と直交する幅方向の中央部に、両端部のいずれか他方の端部が挿入可能な開口孔を有している。このため、ベルト本体を腹部周りに巻いて、他方の端部を内側から開口孔に挿入して外側に出し、その外側に出した他方の端部をベルト本体の外面に重ねて付けられる。また、他方の端部と反対側の一方の端部は、ベルト本体の他方の端部側の外面に重ねて付けられる。このようにして、ベルト本体を腹部周りに巻き、両端部のベルト本体外面への重着位置を変えることによって、腹部への締め付け力を調整できる。
そして、ベルト本体の内面には、腹部の前側の領域に対応して、柔軟性を有すると共に段部のない円滑領域が形成されている。従って、上述のように他方の端部を内側から開口孔に挿入して、両端部とベルト本体とを重着した後、ベルト本体を適宜回して、円滑領域を腹部の前側に配置させ、腹部前側の中央領域に跡が残るのが通常である帝王切開の傷口を刺激してしまうことを有効に防止できる。
しかも、ベルト本体を回す際の引っかかりの原因となる開口孔は一箇所であるため回し易く、帝王切開の傷口を刺激する恐れを低減できる。
また、ベルト本体は帯状であって、そこに開口孔が一箇所だけ配置されたような簡単な構造で上述のように締め付けが可能であるため、大げさな構造とする必要がない。さらに、その一箇所の開口孔自体も切れ目状とされている。従って、本ウエストニッパーの上に他の服を着用した際、当該服のデザインを損ねる恐れも有効に軽減できる。
【０００９】
また、好ましくは、前記他方の端部を内側から前記開口孔に挿入して、前記他方の端部を前記ベルト本体の外面に重着し、前記開口孔を脇腹に配置した場合、前記円滑領域は背中側に配置されていることを特徴とする。
そうすると、開口孔が脇腹に配置された状態からベルト本体を凡そ１８０度回して、反対側の脇腹に配置すると、柔軟性を有すると共に段部のない円滑領域を、帝王切開の傷口のある腹部前側の中央領域に配置できる。そして、このベルト本体を回す際、開口孔は背中側を介して傷口のある腹部を通らずに回せるので、傷口を刺激することもない。
また、ベルト本体を凡そ１８０度回すと、開口孔は当該反対側の脇腹に配置されるため、その開口孔から外側に出ている他方の端部を引っ張って、ベルト本体を回した後であっても、腹部を締め付けることもできる。
このようにして、例えば帝王切開した者が使用者である場合、体の前側で、一旦、開口孔に他方の端部を通して両端部をベルト本体の外面に取り付けて、軽く腹部を締め付け、その後、傷口に刺激を与えないように背中側を経由して、開口孔を反対側の脇腹に配置することで、ベルト本体の円滑領域を傷口のある腹部前側の中央領域に配置でき、そして、この状態で、さらに他方の端部を引っ張って微調整をして、最終的にベルト本体を腹部に固定することができる。
【００１０】
また、好ましくは、前記開口孔を脇腹に配置した場合において、前記一方の端部を腹部の前側の領域にある前記ベルト本体の外面に重着した際、前記一方の端部は、その先端に前記面ファスナーが設けられ、前記面ファスナーに隣接する領域が腹部の前側の中央部に配置可能であり、前記隣接する領域は、前記ベルト本体の外面に重ねられ、かつ、幅方向に略伸縮性を有さないと共に、前記巻く方向に弾性力を有し、前記開口孔から前記他方の端部までの間は全体的に、幅方向に伸縮性が有り、かつ、前記巻く方向に略伸縮性を有していないことを特徴とする。
【００１１】
この好ましい発明の構成では、開口孔を脇腹に配置した場合において、一方の端部を腹部の前側の領域にある前記ベルト本体の外面に重着した際、一方の端部は、その先端の面ファスナーに隣接する領域が巻く方向に弾性力を有している。そうすると、開口孔が脇腹に配置された状態において、体の前側で一方の端部を持って、当該隣接する領域の弾性力により巻く方向に引き伸ばし、そして、面ファスナーとベルト本体外面とを重着して、当該弾性力により腹部を有効に引き締められる。
また、開口孔から他方の端部までの間は全体的に、幅方向に伸縮性が有り、かつ、巻く方向に略伸縮性を有していない。従って、幅方向の伸縮性により、使用者毎の異なる腹部の膨らみ具合に対応して腹部を覆うことができると共に、巻く方向の非伸縮性により、上述の隣接する領域の弾性力を損なうことなく、腹部を引き締められる。
ここで、面ファスナーに隣接する領域は、開口孔を脇腹に配置した状態で、腹部の前側の中央部に配置可能である。従って、例えば帝王切開した者が使用者であって、ベルト本体を回して開口孔を反対側の脇腹に配置した場合、腹部前側の中央部にあった面ファスナーに隣接する領域は、凡そ１８０度回って背中の中央部に配置され、また、この隣接する領域が重ねられるベルト本体の領域も背中の中央に配置されることになる。
そして、面ファスナーに隣接する領域は幅方向に略伸縮性を有さず、この隣接する領域が重ねられるベルト本体の領域（即ち、開口孔と他方の端部までの間）は巻く方向に略伸縮性を有していない。そうすると、これらが背中に重なって配置された状態では、幅方向にも巻く方向にも伸縮性を有しない状態となる。従って、背中側のベルト本体がよれ難くなって、この背中を基準にして、膨らんだ腹部を背中側に適切に引き締めることができる。
【発明の効果】
【００１２】
以上、本発明によれば、帝王切開等により腹部を痛めた者であっても、傷口に与える刺激を小さくし、かつ、デザイン的な見栄えの悪化を防ぎ、さらに、締め付け力も追い求めることができる産後用ウエストニッパーを提供することができる。
【図面の簡単な説明】
【００１３】
【図１】本発明の好ましい実施形態に係る産後用ウエストニッパーを、腹部を痛めている女性が装着した状態を示す図。
【図２】本発明の好ましい実施形態に係る産後用ウエストニッパーを、健常者が装着した状態を示す図。
【図３】本発明の好ましい実施形態に係る産後用ウエストニッパーを展開した表面図。
【図４】図３の産後用ウエストニッパーの裏面図。
【図５】図３のＡ−Ａ拡大断面図。
【図６】図３の産後用ウエストニッパーの使用方法の一例であって、腹部周りにベルト本体を巻く準備をしている図。
【図７】図３の産後用ウエストニッパーの使用方法の一例であって、腹部周りにベルト本体を巻いた図。
【図８】図３の産後用ウエストニッパーの使用方法の一例であって、ベルト本体を回した図。
【発明を実施するための形態】
【００１４】
以下に、本発明の好ましい実施形態を、図面を参照して詳しく説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
また、各図において付した同じ符号は同様の構成を有している。
【００１５】
〔産後用ウエストニッパーの概要〕
先ず、本発明の産後用ウエストニッパー（以下、「ニッパー」という）の概要について説明する。
本発明のニッパーは、産後の女性、特に、帝王切開などで腹部を痛めている女性に好適に使用されるが、産後の腹部を痛めていない女性であっても使用することができる。
図１はこの腹部を痛めている女性がニッパー１０を装着した状態であり、全体的に長い帯状のベルト本体１２の両端部１４，１５を概ね脇腹から背中の間に配置するようにして、腹部に巻いて使用される。具体的には、両端部１４，１５は、ベルト本体１２に対して面ファスナー３０，３１で着脱可能になっており、この両端部１４，１５をベルト本体１２に一旦、脇腹から腹部の前側で重着した後、ベルト本体１２を回して、図１のように両端部１４，１５が痛めている腹部に配置されないよう装着している。なお、重着とは重ねて取り付けた状態を意味する。
そして、この図１のニッパー１０は、健常者の装着状態を示す図２のように、わざわざベルト本体１２を回すことなく、ベルト本体１２の両端部１４，１５が脇腹から腹部の前側でベルト本体１２と重着して、そのまま両端部１４，１５を適宜引っ張って締め付け力を調整し、装着することも可能である。
【００１６】
〔産後用ウエストニッパーの詳細な構造等〕
次に、このニッパー１０の詳細な構造等を、主に、上述した図１、及び図３と図４を用いて説明する。図３は図１のニッパー１０を展開した表面図、図４は図１のニッパー１０を展開した裏面図である。
図３及び図４に示すように、ニッパー１０を構成する帯状のベルト本体１２は、その長手方向Ｘの寸法が少なくとも使用者の腹部周りの最大寸法より長く形成されている。
そして、装着時に腹部周りに直接密着する範囲Ｌの殆どは、幅方向Ｙの寸法Ｗ１が、図１に示すように、概ね使用者ＵＳの臍ＮＡ辺りから股ＣＲの少し上までの寸法と同様とされている。これは、臍ＮＡから股ＣＲの少し上までの間に、帝王切開の傷口ＳＣが多いためであり、幅方向Ｙの周縁１２ａ，１２ｂが傷口に触れることを可及的に回避するためである。
【００１７】
周縁１２ａ，１２ｂには、主に２つの機能が設けられている。
一つ目は、図１に示す腹部の傷口ＳＣが大きいために、周縁１２ａ，１２ｂが傷口に接触する事態があったとしても、刺激を少なくする機能であり、具体的には、ベルト本体１２を形成する過程で生ずる切断端面を被覆部材１７が覆うようにして端部処理がなされている。
二つ目は、被覆部材１７が例えばナイロンからなるパワーネットを用いた弾性部材で形成され、巻く方向（長手方向）Ｘの弾性力を補助する機能である。なお、被覆部材１７はベルト本体１２に縫合又は熱接着で取付け可能であるが、本実施形態の場合、巻く方向Ｘの弾性力を損なわないように、縫合により取付けられている。
【００１８】
さらに、ニッパー１０は、腹部を均一に締め付けられるように工夫がなされている。
先ず、図３及び図４に示すように、周縁１２ａ，１２ｂは互いに平行であり、展開した状態において緩やかな円弧状とされている。従って、図１に示すように、装着した際は略円錐台形状となり、上から下に向かうに従って膨らんだ腹部の体形に概ね対応できる。
次に、図３に示す腹部周りに直接密着する範囲（後述する開口孔４０から他方の端部１４までの間の範囲と同様）Ｌは、その殆どの部分が幅方向Ｙに所要の伸縮性を有している。ここにいう「所要の伸縮性」とは、ニッパー１０の腹部に対する締付け力を損ねない程度に伸び縮みする性質であり、本実施形態の場合、範囲Ｌの殆どの部分はラミネート加工により形成され、表材のフレンチパイル（ナイロン１００％）と、中材のウレタンと、裏材の綿パイル（綿１００％）とを貼り合わせて形成されている。また、上記「殆どの部分」とは主要部を意味し、周縁１２ａ，１２ｂの被覆部材１７や、後述する目印部１６を除く。従って、範囲Ｌはその伸縮性により、使用者毎の異なる腹部の膨らみ具合に対応して伸び縮みし、腹部と均一に接触することができる。
なお、腹部周りに直接密着する範囲Ｌは、締め付け力を確保するため、周縁１２ａ，１２ｂの被覆部材１７を除き、長手方向（巻く方向）Ｘには伸縮性を有していない。
【００１９】
図４に示すように、ニッパー１０の巻く方向（長手方向）Ｘの両端部１４，１５は、その裏面（即ち、図１の装着状態の内面１２ｃ）に、ベルト本体１２の表面（即ち、図１の装着状態の外面１２ｄ）に対して着脱可能な面ファスナー３０，３１を有している。なお、ここにいう両端部１４，１５とは、巻く方向Ｘについて、腹部周りに直接密着する範囲Ｌを除く部分を意味し、その先端側に面ファスナー３０，３１が設けられている。
面ファスナー３０，３１は公知のものを利用でき、例えば、フック状に起立したフック側とループ状に密集して起毛されたループ側とを押し付けて着脱可能なファスナーを利用でき、本実施形態では、両端部１４，１５の内面がフック側とされ、ベルト本体１２の外面がループ状とされている。
【００２０】
そして、この面ファスナー３０，３１に隣接する領域３２，３３は、ニッパー１０の中で最も強く弾性力を発揮する弾性部材、例えばパワーネット等のウレタンやゴム等で形成されている。このように、弾性力を強く発揮する領域３２，３３を面ファスナー３０，３１に隣接させたのは、２つの理由からである。一つ目は、使用者は面ファスナー３０，３１の部分を把持して引っ張り、腹部を締め付けようとするため、その把持部の近くに弾性力を強く発揮する部分があった方が安定して操作し易いからである。二つ目は、腹部周りに直接密着する範囲Ｌには、腹部を刺激するような部材を配置したくないからである。
このパワーネット等からなる隣接する領域３２，３３（特に領域３２）は、巻く方向Ｘには弾性力を発揮するが、幅方向Ｙに沿ってテグス等の複数の非伸縮性部材が互いに平行に配列されているため、幅方向Ｙには略伸縮性を有していない。従って、引き伸ばしの方向性を付けられると共に、ベルト本体１２の縒れを防止しながら、容易に腹部を引き締めることができる。この点については後で説明する。
なお、他方の端部１４側の隣接する領域３３については、その中間部に、好ましくは幅方向Ｙに沿って、ループ状の部材４５が配設されており、この部材４５と面ファスナー３０との間を折ることで、部材４５と面ファスナー３０とが着脱自在になっている。
【００２１】
ここで、図３及び図４に示すように、ベルト本体１２は、両端部１４，１５のいずれか一方の端部（図３では左側の端部）１５側に寄った一箇所であって、幅方向Ｙの中央部に、両端部１４，１５のいずれか他方の端部（図３では右側の端部）１４が挿入可能な切れ目状の開口孔４０を有している。
具体的に、この開口孔４０は、図１に示すように、内面１２ｃ側から他方の端部１４を挿入して、その他方の端部１４を外面１２ｄ側に露出させ、上述した面ファスナー３０をベルト本体１２の外面１２ｄに重ねて取付けるための厚み方向に貫通した孔である。
【００２２】
なお、本実施形態では図３の相対的に左側に開口孔４０を配置しているが、本発明はこれに限られず、図３の右側にあってもよい。
また、幅方向Ｙの中央部とは、開口孔４０が周縁１２ａ，１２ｂに存在しないことを意味するものであり、幅方向Ｙの中心に開口孔４０が配置される必然性はない。しかし、好ましくは、図３の開口孔４０を拡げた一点鎖線で囲った図に示すように、開口孔４０は幅方向Ｙのいずれか一方の周縁に偏らずに、仮想中心線ＣＲから均等に幅方向Ｙに沿って伸びる切れ目状とされ、かつ、その長さＬ１が可及的に大きく形成されるのがよく、これにより、他方の端部１４を開口孔４０に挿入してベルト本体１２の外面に重着する際、面ファスナー３０の幅方向Ｙの重着位置を選択できる幅が広くなる。
【００２３】
また、ここにいう切れ目状とは孔が細長いことを意味し、部材を切って形成されることを必ずしも意味するものではない。例えば、本実施形態の場合は、図３のＡ−Ａ拡大断面図である図５に示されるように、２つの部材１２−１，１２−２の互いの端部を厚み方向に重ね合わせて、これらを縫合又は熱接着するようにし、その際、図３の一点鎖線で囲った図に示すように、長さＬ１分だけ縫合等しないようにして、開口孔４０は形成されている。
この際、図５や図３の一点鎖線で囲った図に示すように、開口孔４０の領域ＳＲはその周辺に比べて可撓性が低くなるように、別部材２８，２９を縫合又は熱接着により取付けるのが好ましい。これにより、開口孔４０を拡げ易くして、他方の端部１４の挿入を容易にしている。
また、２つの部材１２−１，１２−２の重ね合わせ方は、部材１２−２に対して、一方の端部１５側の部材１２−１が外側に配置されるのが好ましい。これにより、後述するようにベルト本体１２を装着する際に回す時、開口孔４０の領域ＳＲが抵抗とならないようにできる。
【００２４】
そして、図３に示すように、他方の端部１４は、開口孔４０に挿入し易いように、開口孔４０の長さＬ１より短い幅Ｗ２とされ、さらに先端に向かうに従って次第に幅寸法が小さくなっている。また、この他方の端部１４を含む両端部１４，１５は、面ファスナー３０，３１が配置された先端は略半円形状とされ、面ファスナー３０，３１全体を把持し易くなっている。なお、本発明の両端部１４，１５は、上述した態様に限られるものではなく、例えば、他方の端部１４については、最終的に開口孔４０への挿入が可能であればどのような形状でもよく、例えば瓢箪のような形状とされ、その先端が開口孔４０の長さＬ１より長い幅とされてもよい。
【００２５】
そして、ベルト本体１２の内面には、図４及び図１に示すように、腹部の前側の領域に対応して、柔軟性を有すると共に段部のない円滑領域１３が形成されている。
具体的には、腹部の前側の領域とは、概ね帝王切開される可能性の高い領域と把握してもよく、帝王切開は縦及び／又は横に切開されるため、図１に示すように、概ね、巻く方向Ｘについて両腰骨の出た箇所（上前腸骨棘）Ｘ１，Ｘ２間であって、かつ、幅方向Ｙについて臍ＮＡ辺りから股ＣＲの少し上までの間の領域である。そして、円滑領域１３は、柔らかく膨らんで、さらに、その表面全体が滑らかな状態であるため、帝王切開の傷口ＳＣがこの円滑領域１３に接触しても、刺激を与えることを有効に防止できる。
【００２６】
なお、図３及び図４に示すように、円滑領域１３は開口孔４０と目印１６との間に形成されている。目印１６は、円滑領域１３に隣接した位置であって、ベルト本体１２の外面側にのみ、非伸縮性部材を縫合又は熱接着することで形成されており、次の機能を果たすためのものである。
先ず、ベルト本体１２を回して装着する際に、概ね図１に示す腰骨の出た箇所Ｘ１の位置でこの目印１６を止めることで、円滑領域１３を適切に配置すると共に、一方の端部１５の領域３２を背骨に配置するためのマークとなる機能である。これについては後で詳述する。
次に、腹部に傷口がない健常者が使用する際、この伸縮性のない目印１６を背骨に配置して、ベルト本体１２の縒れを防止する機能である。すなわち、図２に示すように、健常者の場合は、両端部１４，１５を前身頃側で交差するように使用することが想定され、この際、目印１６は概ね背中に配置されることになる。そして、目印１６は伸縮性を有さないため、ベルト本体１２は背中の位置で縒れ難くなり、この背中を基準にして、膨らんだ腹部を背中側に適切に引き締め易くなる。
【００２７】
〔産後用ウエストニッパーの使用方法〕
次に、ニッパー１０の使用方法について、腹部に傷がある者が使用者であることを想定して説明する。
図６乃至図８は、上述したニッパー１０の使用方法の一例であって、図６は腹部周りにベルト本体１２を巻く準備をしている図、図７はベルト本体１２を腹部周りに巻いた図、図８はベルト本体１２を回した図である。なお、図６乃至図８の前面側は腹部の前側であり、奥側は背骨側である。
先ず、図６に示されるように、使用者は展開したベルト本体１２を背中にまわして、両端部１４，１５を体の前方に配置する。この際、使用者は、両端部１４，１５の最も固い面ファスナー３０，３１を把持すると操作がし易い。
【００２８】
次に、図７に示すように、開口孔４０に他方の端部１４を内側（身体側）から挿入して外側に露出させ、その露出した他方の端部１４をベルト本体１２の外面１２ｄ−１に重着しつつ、開口孔４０を片方の脇腹（図では左脇腹）ＳＤ１側に配置する。また、一方の端部１５は、その内側に入り込んだ他方の端部１４側のベルト本体１２の外面１２ｄ−２に重着する。なお、この段階では、両端部１４，１５は巻く方向Ｘに強く引っ張らず、手を離してもベルト本体１２が落ちない程度に軽く引っ張って、ベルト本体１２の外面１２ｄ−１，１２ｄ−２に重着すればよい。
この両端部１４，１５とベルト本体１２の外面１２ｄ−１，１２ｄ−２とを重着して開口孔４０を脇腹ＳＤ１側に配置した状態では、開口孔４０が脇腹の真横に配置されている場合、円滑領域１３は背中に配置されることになる。なお、図７では、開口孔４０は、脇腹ＳＤ１と腹部前側の境目付近にかけて配置されているので、円滑領域１３は背中から脇腹の背中側にかけて配置されている。
また、図７のように、開口孔４０を脇腹ＳＤ１側に配置した状態では、一方の端部１５の面ファスナー３１に隣接する領域３２は、ベルト本体１２の外面１２ｄ−２に重ねられて、腹部の前側の中央部に配置可能となる。
【００２９】
次に、ベルト本体１２を、開口孔４０が帝王切開等の傷口を通らないように背中側を経由して、凡そ１８０度回し（即ち、図７のＸＨの方向に回し）、図８に示すように、開口孔４０を反対側の脇腹ＳＤ２に配置する。この回す作業の際、回す方向ＸＨの力に対して抵抗となり得る開口孔４０は一箇所のみである。しかも、この開口孔４０を構成するための部材１２−１，１２−２に関して、部材１２−２に対して一方の端部１５側の部材（回す方向ＸＨと反対側の部材）１２−１は相対的に外側に配置されているため、ベルト本体１２を回しても、開口孔４０の周辺は略抵抗とならない。従って、ベルト本体１２を円滑に回して、腹部の傷口への刺激を有効に防止できる。
そして、図８のように、開口孔４０を反対側の脇腹ＳＤ２に配置すると、柔軟性を有すると共に段部のない円滑領域１３は、帝王切開の傷口のある腹部前側の中央領域に配置される。この際、使用者は、目印１６を腰骨の出た箇所Ｘ１付近に配置することで、円滑領域１３を確実に腹部前側の中央領域に配置できる。
【００３０】
さらに、この図８の状態では、一方の端部１５の面ファスナー３１に隣接する領域３２は、背中の中央部に配置され、また、この隣接する領域３２が重ねられているベルト本体１２の領域１２ｄ−２も背中の中央部に配置されることになる。ここで、上述のように、隣接する領域３２は幅方向Ｙに略伸縮性を有さず、この隣接する領域３２が重ねられているベルト本体の領域１２ｄ−２（即ち、開口孔４０から他方の端部１４までの間の一部）は、全体的に巻く方向Ｘに略伸縮性を有していない。そうすると、背中の位置のベルト本体１２は、幅方向Ｙにも巻く方向Ｘにも伸縮性を有しない状態となり、背中側のベルト本体１２の縒れが有効に防止され、この背中を基準にして、さらに膨らんだ腹部を背中側に適切に引き締めることができる。
すなわち、開口孔４０から外側に露出した他方の端部１４を、図８の矢印Ｑ方向に引っ張って、さらに腹部を引き締め、図１に示すようにニッパー１０の装着を終了する。
なお、ニッパー１０を体から取り外す際は、他方の端部１４を開口孔４０から引き抜かなければならないが、この際、図４に示す領域３３を巻く方向Ｘに折って、ループ状の部材４５と面ファスナー３０とを接続するとよい。これにより、図１の装着状態から他方の端部１４を引き抜く際、面ファスナー３０のベルト本体１２への不要な付着を防止し、引き抜き易くなる。また、このループ状の部材４５と面ファスナー３０とを接続する構成は、開口孔４０に他方の端部１４を挿通するときにも不要な付着を防止できて有効である。
【００３１】
本実施形態のニッパー１０は以上のように構成されているが、本発明は、この実施形態に限定されず、特許請求の範囲を逸脱しない範囲で種々の変更を行うことができる。また、上記実施形態の各構成は、その一部を省略し、或いは上記とは異なるように任意に組み合わることができる。
【符号の説明】
【００３２】
１０・・・産後用ウエストニッパー、１２・・・ベルト本体、１３・・・円滑領域、１４・・・他方の端部、１５・・・一方の端部、４０・・・開口孔、３０，３１・・・面ファスナー
【図１】
2014118661.tif 000003
【図２】
2014118661.tif 000004
【図３】
2014118661.tif 000005
【図４】
2014118661.tif 000006
【図５】
2014118661.tif 000007
【図６】
2014118661.tif 000008
【図７】
2014118661.tif 000009
【図８】
2014118661.tif 000010